(57)【要約】【課題】  冷却モジュールをフロントエンドモジュールに容易に接続しうる車両のフロントエンド構造を提供する。【解決手段】  コンデンサ及びラジエータの中の少なくとも１つを備えた冷却モジュールが車体に取り付けられる車両のフロントエンド構造において、冷却モジュールは、それを車体に支持させるために車体側の接続部に接続する接続部と、車体側の配管又は配線の結合部に結合される配管又は配線の結合部とを有し、結合部は、接続部の接続を行うことにより結合部の結合が行われるように構成されているワンタッチコネクタであり、かつゴムマウントを介して車体に取り付けられている。【選択図】      図１
2005271795.tif 000002
【特許請求の範囲】
【請求項１】
コンデンサ及びラジエータの中の少なくとも１つを備えた冷却モジュールが車体に取り付けられる車両のフロントエンド構造において、
前記冷却モジュールは、それを車体に支持させるために車体側の接続部に接続する接続部と、車体側の配管又は配線の結合部に結合される配管又は配線の結合部とを有し、前記結合部は、前記接続部の接続を行うことにより前記結合部の結合が行われるように構成されているワンタッチコネクタであり、かつゴムマウントを介して車体に取り付けられていることを特徴とする車両のフロントエンド構造。
【請求項２】
前記ワンタッチコネクタの雄部又は雌部は、前記冷却モジュールの側面から車両後方に向けて延びており、前記ワンタッチコネクタの雌部又は雄部は、前記車体のサイドメンバーに取り付けられたゴムマウントの内部に組み込まれていることを特徴とする請求項１に記載の車両のフロントエンド構造。
【請求項３】
前記ワンタッチコネクタの雄部又は雌部は、前記冷却モジュールの側面から車両後方に向けて延びており、前記ワンタッチコネクタの雌部又は雄部は、前記車体のサイドメンバーに取り付けられたゴムマウントの上部に配置されていることを特徴とする請求項１に記載の車両のフロントエンド構造。
【請求項４】
前記ワンタッチコネクタの雄部又は雌部は、前記冷却モジュールの側面の底面近傍から車両後方に向けて延びており、前記ワンタッチコネクタの雌部又は雄部は、前記車体のフロントクロスメンバーに取り付けられたゴムマウントの上部に配置されていることを特徴とする請求項１に記載の車両のフロントエンド構造。
【発明の詳細な説明】
【技術分野】
【０００１】
本発明は車両のフロントエンド構造に関する。
【背景技術】
【０００２】
従来、車両のエンジンの冷却水を強制的に冷却するラジエータを主に含む冷却モジュールは、車両のフロントエンド構造内のフロントエンドモジュールに取り付けられている。例えば、図６に示すように、冷却モジュール９は、特にエンジンで発生する振動がこの冷却モジュール９に伝達されないように、すなわち、防振のために、その上側と下側においてゴムマウント１５を介してフロントエンドモジュールのサポートアッパ４及びサポートロア５に接続されている（例えば、特許文献１、２参照。）。また、冷却モジュール９の配管又は配線も、冷却モジュール９の本体と同様に防振のために、振動を吸収するゴムホース１６を介してフロントエンドモジュールに結合されている。
【０００３】
【特許文献１】特開平１０−１８８４３号公報
【特許文献２】特開２００１−１８７５８８号公報
【０００４】
この配管の結合は、冷却モジュール９をフロントエンドモジュールに締結した後にさらに行う必要があり、部品が密に配置されている近年のフロントエンド構造の内部で、ゴムホース１６などの配管や電気配線を結合する作業は著しく労力を要するという問題があった。
【発明の開示】
【発明が解決しようとする課題】
【０００５】
そこで、上記問題点に鑑み、本発明の目的は、冷却モジュールをフロントエンドモジュールに容易に接続しうる車両のフロントエンド構造を提供することである。
【課題を解決するための手段】
【０００６】
本発明の請求項１に係る車両のフロントエンド構造によれば、コンデンサ及びラジエータの中の少なくとも１つを備えた冷却モジュールが車体に取り付けられる車両のフロントエンド構造において、冷却モジュールは、それを車体に支持させるために車体側の接続部に接続する接続部と、車体側の配管又は配線の結合部に結合される配管又は配線の結合部とを有し、結合部は、接続部の接続を行うことにより結合部の結合が行われるように構成されているワンタッチコネクタであり、かつゴムマウントを介して車体に取り付けられている。これにより、冷却モジュールを車体に支持させるために接続部を接続させる作業を行うと、冷却モジュールの配管又は配線の結合部を車体側に結合させる作業が完了するので、非常に容易に、冷却モジュール自体及び冷却モジュールの配管又は配線も防振させつつ、車体側に取り付けることができる。
【０００７】
また、請求項２及び３に記載のように、本発明は、配管又は配線の結合部が冷却モジュールの側面にあるタイプの車両のフロントエンド構造に適用することができる。
【０００８】
また、請求項４に記載のように、本発明は、配管又は配線の結合部が冷却モジュールの側面の底部にあるタイプの車両のフロントエンド構造に適用することができる。
【発明を実施するための最良の形態】
【０００９】
以下、本発明の実施例について添付図面を参照しつつ詳細に説明する。最初に第１実施例について図１〜３を参照しつつ説明する。図１に示すように、本発明のフロントエンド構造１は、骨格部２０と冷却モジュール３０とで概ね構成されている。骨格部２０は、冷却モジュール３０を垂直面内で包囲している、ラジエータサポートアッパ４及びラジエータサポートロア５と、冷却モジュールを水平面内で包囲している、バンパーリーンフォース２、クラッシュボックス３、サイドメンバー１０及びステー１１とで構成されている。また、冷却モジュール３０は、コンデンサ６と、ラジエータ７と、電動ファン８とで構成されている。
【００１０】
次に冷却モジュール３０と車体側の接続部について説明する。図１に示すように、冷却モジュール３０の上側面には、車体の骨格部２０側と接続するために上方に延びている突起部１９が設けられており、また、下側面には、同様に下方に延びている突起部（図示せず）が設けられている。一方、骨格部２０のラジエータサポートアッパ４には、冷却モジュール３０を支持すべく冷却モジュール３０の上側の突起部１９を受容して接続するための突起受容部９が設けられている。また、ラジエータサポートロア５には、同様に、冷却モジュール３０の下側の突起部１９を受容するための突起受容部（図示せず）が設けられている。このような構成により、冷却モジュール３０を骨格部２０のラジエータサポートアッパ４及びラジエータサポートロア５に向けて車体後方へ移動させると、冷却モジュール３０の接続部である突起部１９を車体側の接続部である突起受容部９内に受容させることにより、冷却モジュール３０を車体に支持させることができる。なお、この接続部の突起部１９がゴム製であれば、冷却モジュール３０を防振させつつ車体に支持させることができるので好ましい。
【００１１】
次に冷却モジュール３０の配管の結合部１３について図２を参照しつつ説明する。冷却モジュール３０は、車体側の配管の結合部に結合される配管の結合部１３を有する。結合部１３はワンタッチコネクタである。このワンタッチネクタ１３の雌部１３１は、サイドメンバー１０から車体の内方向に延びているステー１１に埋め込まれたゴムマウント１１を貫通して取り付けられている。一方、ワンタッチコネクタ１３の雄部７１は、冷却モジュール３０の側面から車両後方に向けて延びている。なお、結合部１３の雄部７１及び雌部１３１の位置は、冷却モジュール３０の接続部の接続を行うことにより結合部１３の結合が行われるように決定されている。このような構成により、冷却モジュール３０の配管の結合部１３を結合させることにより、冷却モジュール３０の配管を防振させることができる。
【００１２】
本実施例では、結合部１３の雄部７１は、冷却モジュール３０のラジエータ７の側面から車両後方に延びている、中空の突起部の形態である。この突起部は、比較的に大きな外径の大径筒状部と、比較的に小さな外径の先端の小径筒状部と、大径筒状部から小径筒状部に向けて先細りしている円錐形状部とで概ね構成されている。一方、結合部１３の雌部１３１は、パイプの形態であり、このパイプは、結合部１３の雄部７１の突起部の大径筒状部の外径よりも大きな内径を有する大径筒状部と、突起部の小径筒状部の外径とほぼ同じかそれより若干小さな内径を有する小径筒状部と、大径筒状と小径筒状部の間の平坦部とで概ね構成されている。また、Ｏリングなどのシール部材が、結合部１３の雄部７１の円錐形状部と雌部１３１の平坦部の間に介挿されている。このような構成により、冷却モジュール３０の結合部１３の雄部７１を車体側の結合部１３の雌部１３１に向けて車両後方へ移動させ、結合部１３の雄部７１の大径筒状部が雌部１３１の大径筒状部と嵌め合わせることにより、結合部１３の結合が安定し、Ｏリングによって流体の漏れを防止しつつ、冷却モジュール３０の結合部１３の結合を完了させることができる。
【００１３】
次に冷却モジュール３０の取り付け作業について図３を参照しつつ説明する。冷却モジュール３０を車体側の骨格部２０に向けて車両後方へ移動させると、冷却モジュール３０の突起部１９を骨格部２０の突起部受容部９に受容させることにより、冷却モジュール３０を車体に支持させることができ、他方、冷却モジュール３０の結合部１３の雄部７１が車体側の結合部１３の雌部１３１と嵌め合わせることができる。すなわち、冷却モジュール３０の接続作業を行うと同時に配管の結合作業を完了させることができる。その後、バンパーリーンフォース２をサイドメンバー１０に締結させることにより、車両のフロントエンド構造の組付けが完了する。なお、冷却モジュール３０の取り外し作業は、取り付け方向と逆に車両の前方に移動させることにより完了する。
【００１４】
次に第２実施例の車両のフロントエンド構造について図４を参照しつつ説明する。本実施例は、車体側の結合部の雌部が第１実施例と異なっており、他の全ての点は第１実施例と同じである。図４（Ｂ）に示すように、ワンタッチコネクタ１３の雌部１３１は、車体のサイドメンバー１０に取り付けられたステー１１上のゴムマウント１２の上部に配置されている。なお、雌部１３１の構成は第１実施例と同じであり、結合部１３の位置は、冷却モジュール３０の接続部の接続を行うことにより結合部１３の結合が行われるように決定されている。このように、結合部１３がゴムマウント１２を介して車体側に結合されているので、第１実施例と同様に、冷却モジュール３０を防振させつつ車体に容易に接続させることができる。
【００１５】
次に第３実施例について図５を参照しつつ説明する。本実施例では、ワンタッチコネクタ１３の雄部７１は、冷却モジュール３０の側面の底面近傍から車両後方に向けて延びており、ワンタッチコネクタ１３の雌部１３１は、車体のフロントクロスメンバー１６に取り付けられたゴムマウント１２の上部に配置されている。なお、結合部１３の位置は、冷却モジュール３０の接続部の接続を行うことにより結合部１３の結合が行われるように決定されている。このように、結合部１３がゴムマウント１２を介して車体側に結合されているので、冷却モジュール３０を車体後方に移動させることにより、第１及び第２実施例と同様に、冷却モジュール３０を防振させつつ車体に容易に接続させることができる。
【００１６】
最後に第４実施例について説明する。本実施例では、冷却モジュール３０をラジエータサポートアッパ４及びラジエータサポートロア５に先に組み付けたフロントエンドモジュール構造を、車体側に組み付けると同時に、冷却モジュール３０のワンタッチコネクタ１３の雄部７１と車体側のワンタッチコネクタ１３の雌部１３１とを嵌め合わせるように構成されている。
【００１７】
なお、以上で説明した結合部１３の雄部と雌部が逆であってもよい。
【００１８】
さらに、以上では、冷却モジュール３０の配管の結合部を例に取って説明したが、本発明は電気配線の結合部も同様に適用可能である。当然、この場合にはＯリングは不要である。
【図面の簡単な説明】
【００１９】
【図１】本発明の第１実施例の車両のフロントエンド構造の斜視図である。
【図２】（Ａ）は、本発明の第１実施例の車両のフロントエンド構造の平面断面図であり、（Ｂ）は、本発明の第１実施例の結合部の正面図である。
【図３】本発明の第１実施例の車両のフロントエンド構造の分解斜視図である。
【図４】（Ａ）は、本発明の第２実施例の車両のフロントエンド構造の平面断面図であり、（Ｂ）は、本発明の第２実施例の結合部の正面図である。
【図５】本発明の第３実施例の車両のフロントエンド構造の結合部を示す図である。
【図６】従来の車両のフロントエンド構造の部分断面図である。
【符号の説明】
【００２０】
１…車両のフロントエンド構造
６…コンデンサ
７…ラジエータ
９…車体側の接続部
１９…冷却モジュール３０の結合部
３０…冷却モジュール
７１…冷却モジュールの配管又は配線の結合部
【図１】
2005271795.tif 000003
【図２】
2005271795.tif 000004
【図３】
2005271795.tif 000005
【図４】
2005271795.tif 000006
【図５】
2005271795.tif 000007
【図６】
2005271795.tif 000008